(57)【要約】【課題】この発明は、配線の破損を防止して、配置しても配線の周囲の作業環境や配線が属する回線に与える影響を相対的に小さくし、長期において用いることが可能な配線保持器を提供することを課題とする。【解決手段】この発明に係る配線保持器１は、上記課題を解決するために、ホルダー本体２と、ホルダー本体２を貫通することにより両側に開口部４を有して形成されると共に、その内径寸法を配線２０の外径寸法より大きくすることにより配線２０を保持することが可能な配線通過部位３と、配線通過部位３の径方向側とホルダー部２の外部とを連通するもので、配線通過部位３の径方向に沿って延びた後に配線通過部位３の径方向と交差する方向に曲折することによりホルダー部２に対し配線通過部位３の開口部４とは異なる開口部９を設けたＬ字状スリッドの配線着脱部位８とを有するものとする。【選択図】図３
2010169838.tif 000002
【特許請求の範囲】
【請求項１】
通信用又は電力供給用として用いられる配線を保持するためのもので、
前記配線の外径寸法と略同じかそれ以上の内径寸法を有して、前記配線を収納することが可能である配線通過部位と、
この配線通過部位の全域に亘って外部と連通するように形成されると共に、前記配線通過部位内に前記配線が収納された場合に、この配線が外部に抜けることを防止した配線抜け防止機能を備えた配線着脱部位とを有することを特徴とした配線保持器。
【請求項２】
通信用又は電力供給用として用いられる配線を保持するためのもので、
ブロック状のホルダー本体と、
このホルダー本体を貫通することにより両側に開口部を有して形成されると共に、その内径寸法を前記配線の外径寸法と略同じかそれ以上にすることにより前記配線を収納することが可能である配線通過部位と、
この配線通過部位の全域に亘って前記ホルダー部の外部と連通するようにスリット状に形成されるもので、前記配線通過部位の径方向に沿って延びた後に前記配線通過部位の径方向と交差する方向に曲折することにより前記ホルダー部に対し前記配線通過部位の開口部とは異なる開口部を設けた配線着脱部位とを有することを特徴とした配線保持器。
【請求項３】
通信用又は電力供給用として用いられる配線を保持するためのもので、
プレート状の台座と、
この台座から弧状に延出した２つの挟持用部材によりその内周側に画成され、且つ前記配線を収納することが可能である配線通過部位と、
この配線通過部位の全域に亘って外部と連通するように形成されるもので、前記挟持用部材の延出方向側の端部間に配されると共にその幅を前記挟持用部材の延出方向側の端部から相互に離れる方向に延びる羽根部の操作で調整可能な配線着脱部位とを有することを特徴とする配線保持器。
【請求項４】
前記ホルダー部材、台座又は羽根部に１又は２以上の平らな外面を設け、この外面に接着手段を備えることを特徴とする請求項１、２又は３に記載の配線保持器。
【発明の詳細な説明】
【技術分野】
【０００１】
この発明は、光コード等の通信線、電力線、その他の配線の途中箇所を一時的又は常時に保持するための器具の構造に関する。
【背景技術】
【０００２】
この種の局内光配線等に用いられるコードとして例えば特許文献１に示されるような両端に光コネクタを有する光コードが知られている。そして、このような光コードを架又はラックと測定器とを接続する測定用光コードとして用いる場合には、特に固定することなく床に這わせる等して床に直置きしたり、ビニルテープ等で架やラックに仮固定したりするのが通常である。また、上記のような光コードを架同士又はラック同士を接続する接続用光コードとして用いる場合には、架やラック内の専用コードホルダーに通過させたり、収束具で束にして固定したりするのが通常である。
【０００３】
一方で、光ファイバーコードを着脱自在に取り付けられるようにして当該光ファイバーコードを整理するための器具としては、例えば特許文献２に示されるようなコードホルダーが既に公知となっている。
【先行技術文献】
【特許文献】
【０００４】
【特許文献１】特開２００６−２７６４１２号公報
【特許文献２】特開２００２−１５６５３２号公報
【発明の概要】
【発明が解決しようとする課題】
【０００５】
しかしながら、光コードを床に直置きしたりテープ止めしたりしたのでは、光コード自体や光コードの先端に設けられた光コネクタが破損する等の不具合があり、スペースを取るので周囲の作業環境に与える悪影響も大きくなるという不都合も有する。また、光コードを架内、ラック内の専用のコードホルダーに通過させると、光コードの設置時、撤去時に運用中の光コードへ不用意にテンションがかかったり、取り外すコードの選択の誤認を生したりするおそれがあり、光コードが属する回線全体に悪影響を及ぼす可能性が大きいという不都合もある。
【０００６】
また、特許文献２に示されるコードホルダーでは、溝の両側部位により挟むかたちで光コードを保持する構造であるため、光コードに対する保持をコードホルダーの素材が有する弾性に委ねる必要があり、経年劣化によりその保持力が弱くなることが考えられる。
【０００７】
そこで、本発明は、配線の破損を防止して、配置しても配線の周囲の作業環境や配線が属する回線に与える影響を相対的に小さくし、長期において用いることが可能な配線保持器を提供することを目的とする。
【課題を解決するための手段】
【０００８】
この発明に係る配線保持器は、通信用又は電力供給用として用いられる配線を保持するためのもので、前記配線の外径寸法と略同じかそれ以上の内径寸法を有して、前記配線を収納することが可能である配線通過部位と、この配線通過部位の全域に亘って外部と連通するように形成されると共に、前記配線通過部位内に前記配線が収納された場合に、この配線が外部に抜けることを防止した配線抜け防止機能を備えた配線着脱部位とを有することを特徴としている（請求項１）。ここでいう配線には、例えば測定用光コネクタコードや接続用光コネクタコードと言った光コード等が挙げられる。これは、以下においても同様である。
【０００９】
この発明に係る配線保持器は、より具体的には、通信用又は電力供給用として用いられる配線を保持するためのもので、ブロック状のホルダー本体と、このホルダー本体を貫通することにより両側に開口部を有して形成されると共に、その内径寸法を前記配線の外径寸法と略同じかそれ以上にすることにより前記配線を収納することが可能である配線通過部位と、この配線通過部位の全域に亘って前記ホルダー部の外部と連通するようにスリット状に形成されるもので、前記配線通過部位の径方向に沿って延びた後に前記配線通過部位の径方向と交差する方向に曲折することにより前記ホルダー部に対し前記配線通過部位の開口部とは異なる開口部を設けた配線着脱部位とを有することを特徴としている（請求項２）。すなわち、配線着脱部位は、配線通過部位の軸方向側から見て例えば略Ｌ字型のスリッド状の形態をなしている。
【００１０】
また、この発明に係る配線保持器は、通信用又は電力供給用として用いられる配線を保持するためのもので、プレート状の台座と、この台座から弧状に延出した２つの挟持用部材によりその内周側に画成され、且つ前記配線を収納することが可能である配線通過部位と、この配線通過部位の全域に亘って外部と連通するように形成されるもので、前記挟持用部材の延出方向側の端部間に配されると共にその幅を前記挟持用部材の延出方向側の端部から相互に離れる方向に延びる羽根部の操作で調整可能な配線着脱部位とを有することを特徴としている（請求項３）。
【００１１】
このような構成の配線保持器によれば、既に配置された状態の配線であっても或いは頭部にコネクタ等を有する配線であっても、配線着脱部位から配線通過部位内にまで簡易に導くことが可能である。すなわち、ホルダー部材を有する配線保持器においては、配線を配線着脱部位の開口部から当該配線着脱部位に沿って道なりに移動させる動作により配線通過部位内にまで簡易に導くことが可能である。また、延出方向の端部に羽根部を備えた２つの挟持部を有する配線保持器においては、両方の羽根部を台座側に押すことで挟持用部材の延出方向側の端部間の配線着脱部位が配線の径方向寸法よりも広がり、この状態の配線着脱部位に配線を通す動作により配線を配線通過部位内にまで簡易に導くことが可能である。
【００１２】
一方で、このような構成の配線保持器によれば、配線着脱部位に配線抜け防止機能を与えているので、人為的に操作しない限り、配線通過部位から配線着脱部位を経て外部に配線が抜けることがない。すなわち、ホルダー部材を有する配線保持器においては、配線通過部から外部に抜けるには途中で折れ曲がった状態の配線着脱部を通らなければならないので、配線が自然に配線着脱部位を通過して開口部まで至る可能性は著しく低いものとなる。また、延出方向の端部に羽根部を備えた２つの挟持部を有する配線保持器においては、両方の羽根部を台座側に押す動作があって初めて配線着脱部位が配線の径方向寸法よりも広がるので、配線が自然に配線着脱部位を通過してしまう可能性は著しく低いものとなる。
【００１３】
そして、これらの構成の配線保持器を複数において配線に装着し、配線をラックや架の外面等に沿うように配置することで、配線を床上に這わせたり、ビニルテープ等の粘着部材で架やラックに仮固定したりする必要がなくなる。また、架内やラック内の専用コードホルダーに配線を通過させる必要性もなくなる。
【００１４】
更に、この発明に係る配線保持器は、前記ホルダー部材、台座又は羽根部に１又は２以上の平らな外面を設け、この外面に接着手段を備えるものとしても良い（請求項４）。この接着手段としては、マグネット、両面テープ等が挙げられる。このように配線保持器に接着手段を備えさせることにより、配線をラックや架の外面等に沿うように確実に配置することが可能となる。
【００１５】
しかも、ホルダー部材を有する配線保持器にあっては、配線通過部の軸方向に沿った面の全てに接着手段を備えさせることが考えられ、これにより、ホルダー部材のどの面でも配線をラックや架の外部の立設した壁面等に接着することができる。このため、配線通過部位に配線を通過させた状態とした後に、隣り合う配線保持器間では配線着脱部位の開口の位置が異なるように配線保持器について配線を中心として回転させて壁面等に接着させることができる。
【発明の効果】
【００１６】
以上のように、請求項１から請求項４に記載の発明によれば、既に配置された状態の配線であっても或いは頭部にコネクタ等を有する配線であっても、配線保持器の配線着脱部位から配線通過部位内にまで配線を簡易に導いて、配線保持器で配線を保持することが可能である。特に請求項２に記載の発明においては、配線を配線着脱部の開口部から当該配線着脱部に沿って移動させる動作により配線通過部位内にまで簡易に導いて、配線保持器で配線を保持することが可能である。また、特に請求項３に記載の発明においては、両方の羽根部を台座側に押すことで挟持用部材の延出方向側の端部間を配線の径方向寸法よりも広げて、この間に配線を通す動作により配線を配線通過部位内にまで簡易に導いて、配線保持器で配線を保持することが可能である。よって、配線に対する配線保持器の保持のための作業を簡易なものとすることができる。
【００１７】
そして、請求項１から請求項４に記載の発明によれば、配線着脱部位に配線抜け防止機能を与えているので、人為的に操作しない限り、配線保持器の配線通過部位から配線着脱部位を経て外部に配線が抜けるのを防止することが可能である。特に請求項２に記載の発明においては、配線が配線通過部から外部に抜けるには、途中で折れ曲がった配線着脱部を通る必要がある。請求項３に記載の発明においては、配線が配線保持器から抜けるには、両方の羽根部が台座側に押されて配線着脱部位が配線の径方向寸法よりも広がる必要がある。このため、配線が自然に配線保持器から抜けるのを防止することが可能である。しかも、配線の抜け防止を配線保持器の素材が有する弾性に委ねる必要はないので、経年劣化によりその保持力が弱くなることもない。
【００１８】
また、この発明に係る配線保持器を複数用いて既に配置状態の配線を保持し、且つこの配線保持器を壁面に取り付けることにより、配線を床面に直置きしたり、ビニルテープ等の粘着部材で架やラックに仮固定したりする必要性をなくし、踏みつけにより又は取り外しの際に配線が損傷する可能性をなくすことができる。また、架内やラック内の専用コードホルダーに配線を通過させる必要性もなくすことができるので、配線の設置、撤去時に運用中の配線へのテンションがかかるのを防止し、配線の選択を誤認して取り外す不具合をなくすことができることから、配線の設置・撤去のために配線が属する回線全体に悪影響を及ぼすことを抑止することが可能である。
【００１９】
特に、請求項４に記載の発明によれば、配線保持器を確実に目標物の壁面に接着させることが可能となる。しかも、ホルダー部材の配線通過部の軸方向に沿った面の全てに接着手段を備えさせることにより、配線通過部位に配線を通過させた状態とした後に、隣り合う配線保持器間では配線着脱部位の開口の位置が異なるように配線保持器について配線を中心として回転させて設置することで、配線が配線着脱部の開口部から抜けるおそれをより小さくすることが可能となる。
【図面の簡単な説明】
【００２０】
【図１】図１は、この発明に係る配線保持器の第１の実施例の構成を示す斜視図であり、図１（ａ）は、かかる配線保持器を配線着脱部位がある側から見た状態の斜視図、図１（ｂ）は、かかる配線保持器を図１（ａ）とは反対側から見た状態の斜視図である。
【図２】図２は、同上の配線保持器の第１の実施例の構成を示す説明図であり、図２（ａ）は、かかる配線保持器の平面図、図２（ｂ）はかかる配線保持器の側面図、図２（ｃ）はかかる配線保持器の図２（ｂ）とは異なる方向から見た状態の側面図である。
【図３】図３は、配線を配線保持器の配線着脱部位の開口部に側方から入れて保持する過程及び保持された状態を示す説明図である。
【図４】図４は、同上の配線保持器を複数用いて配線を保持するにあたり、隣り合う配線保持器では配線着脱部位の向きを異ならせるという手法を説明するための斜視図である。
【図５】図５は、同上の配線保持器を複数用いて配線を架やラックの外面に取り付けた状態を示す説明図である。
【図６】図６は、この発明に係る配線保持器の第２の実施例の構成を示す説明図であり、図６（ａ）は、かかる配線保持器の斜視図、図６（ｂ）は、かかる配線保持器の配線通過部位の軸方向側から見た状態を示す平面図である。
【図７】図７は、同上の配線保持器に配線を保持させる手法を説明した説明図であり、図７（ａ）は、配線保持器の羽根部を押し広げた状態を示す説明図、図７（ｂ）は配線が配線保持器の配線通過部位に収納された状態を示す説明図である。
【発明を実施するための形態】
【００２１】
以下、この発明の実施形態の一例を図面に基づいて説明する。
【実施例１】
【００２２】
図１から図４において、この発明に係る配線保持器１の第１の実施例が示されている。この配線保持器１は、通信用又は電力供給用として用いられる配線２０を例えば図５に示すラックや架等の被保持体２４、２５、２６の外面に仮保持若しくは常時保持するためのものであって、ブロック体状のホルダー本体２から基本的に構成されている。
【００２３】
このホルダー本体２は、当該第１の実施例では、６つの平らな外面２ａ乃至２ｆを有する直方体状をなしている。そして、ホルダー本体２は、外面２ａからこの外面２ａと対峙する外面２ｂに向けて直線的に延びる貫通孔状の配線通過部位３を有しており、これに伴い、ホルダー本体２には２つの開口部４、４が形成されている。また、外面２ａは、配線通過部位３の周囲の部位を配線通過部位３の軸方向に沿って窪ませることで、特に図２（ａ）に示されるように、配線通過部位３の開口部４側から見て、長方形状の陥没面５を有する窪み部６を有している。これにより、開口部４、４のうち外面２ａ側のものは、当該外面２ａよりも相対的に低い陥没面５に開口したものとなっており、外面２ａが上方を向いている場合には、後述する配線２０のコネクタ２１を窪み部６内に収納・保持することができる。更に、配線通過部位３の外面２ａの開口部４は、当該第１の実施例では、配線通過部位３の他の部位よりも外面２ａ側に向かうに従い徐々に拡がるテーパ状をなしている。
【００２４】
図２（ａ）に示される配線通過部位３のうち外面２ａ側の開口部４以外の内径寸法値Ｌ１は、配線２０の外径寸法と同じかそれ以上の数値となっていると共に、配線通過部位３３のうち外面２ａ側の開口部４の内径寸法値Ｌ２は、当然ながら配線通過部位３の内径寸法値Ｌ１よりも大きな数値となっている。但し、配線通過部位３の寸法値Ｌ１、Ｌ２は、配線２０がその頭部に有するコネクタ２１の外径寸法の数値よりも小さくなっていても良い。これにより、配線２０のみが配線保持器１の配線通過部位３内に収納可能である。
【００２５】
更に、配線保持器１は、ホルダー本体２のうち配線通過部位３に対しその径方向に沿って、陥没面５から外面２ａ側に進むように外面２ｆに向けて延びた後、外面２ａに至った部位で今度は外面２ｃに向けて略直角に曲折することで、外面２側から見て直線のスリッド状に開口した配線着脱部位８を有している。この配線着脱部位８は、特に図２（ａ）に示されるように、配線通過部位３の開口部４側から見て略Ｌ字型の形状をなしていると共に、その開口部９は配線通過部位３の開口部４、４とは直交する方向に開口したものとなっている。また、配線着脱部位８の図２（ａ）に示される短手側幅寸法Ｌ３は、配線２０の外径寸法と同じかそれ以上の数値となっている。
【００２６】
このような配線保持器１の構成によれば、図３に示されるように、コネクタ２１を頭部に有する配線２０であっても、開口部９側から配線着脱部位８内に配線２０を引き込み、配線着脱部位８内をその略Ｌ字型の形状に沿って道なりに移動させることにより、配線２０を配線通過部位３まで案内し、配線通過部位３内に収納し、保持することができる。しかも、配線通過部位３内に収納・保持された配線２０が自然に配線通過部位３を上記と逆方向に移動する可能性は極めて低いことから、配線２０の配線保持器１からの抜け防止も担保することができる。
【００２７】
更にまた、複数の配線保持器１を用いて配線２０を保持する場合には、配線２０を上記手法により配線通過部位３に収納した後に、配線保持器１について配線２０を中心として回転させることにより、図４に示されるように、隣り合う配線保持器１同士では、配線着脱部位８の開口部９の向きが逆方向になるようにする。これにより、配線２０の配線保持器１からの抜け防止をより確実なものとすることができる。
【００２８】
そして、配線保持器１は、外面２ｃから外面２ｄについて、例えばその表面の全面においてマグネット又は両面テープ等から成る接着手段を有している。
【００２９】
これにより、図５に示されるように、例えばラックや架等の被保持体２４と２つ隣りのラックや架等の被保持体２４とを配線２０を介して接続する場合に、例えば５個の配線保持器１で配線２０を保持して、これらの配線保持器１を被保持体２４、２５、２６の外側上面に接着手段を利用して設置することにより、床に這わせる等して床に直置きしたり、ビニルテープ等で架やラックに仮固定したりする必要性がなくなる。また、図５に示されるように、ラックや架等の被保持体２６と測定器２７とを配線２０を介して接続する場合に、例えば３個の配線保持器１で配線２０を保持して、これらの配線保持器１を被保持体２６の外側側面に接着手段を介して設置することにより、架やラック内の専用コードホルダーに通過させたり、収束具で束にして固定したりする必要性がなくなる。
【実施例２】
【００３０】
図６及び図７において、第１の実施例とは異なる配線保持器１が第２の実施例として示されている。以下、かかる配線保持器１について図６及び図７を用いて説明する。但し、先の第１の実施例と同様の構成については同一の符号を付してその説明を省略する。
【００３１】
この配線保持器１も、通信用又は電力供給用として用いられる配線２０を例えば図５に示すラックや架等の被保持体２４、２５、２６の外面に仮保持若しくは常時保持するためのものである。そして、この配線保持器１は、プレート状の台座１１と、この台座１１から弧状に且つ鏡面対象的に延出した２つの挟持用部材１２、１２によりその内周側に画成された配線通過部位１３と、挟持用部材１２と挟持用部材１２との間に位置して、配線通過部位１３及び外部を連通する配線着脱部位１４とを有して構成されている。
【００３２】
配線通過部位１３は、図６（ｂ）に示されるように通常時において略円形状に画成されており、その軸方向両側に開口したものとなっている。また、配線通過部位１３の径方向における最大内径寸法値Ｌ４は、配線２０の外径寸法と同じかそれ以上の数値となっている。また、配線着脱部位１４は、挟持用部材１２、１２間の寸法値が通常状態において配線２０の外径寸法よりも小さくなっている。そして、挟持用部材１２、１２の延出方向の先端部位には、相互に離れる方向に延びるプレート状の羽根部１５、１５が連接されている。
【００３３】
このような配線保持器１の構成によれば、両方の羽根部１５、１５を図７（ａ）の矢印方向に指等で押すことにより、挟持用部材１２、１２が当該図７（ａ）に示されるように、外側に拡がるように変形し、これに伴い、配線着脱部位１４の挟持用部材１２、１２間の寸法値Ｌ５も配線２０の外径寸法よりも一時的に大きくなる。そして、この配線着脱部位１４から配線２０をその径方向に沿って図７（ａ）の白抜き矢印方向に進入させることにより、配線２０は配線通過部位１３内に収納される。その後においては、挟持用部材１２、１２が元の状態に戻り、配線着脱部位１４の挟持用部材１２、１２間の寸法値Ｌ５も配線２０の外径寸法よりも小さくなるので、図７（ｂ）に示されるように、配線２０は配線保持器１の配線通過部位１３で保持される。しかも、挟持用部材１２、１２に対し自然に図７（ａ）の矢印方向に力が加わる可能性は極めて低いことから、配線２０の配線保持器１からの抜け防止も担保することができる。
【００３４】
そして、配線保持器１は、台座１１の挟持用部材１２、１２とは反対側の面１１ａ及び羽根部１５の台座１１とは反対側の面１５ａについて、マグネット又は両面テープ等から成る接着手段を有している。
【００３５】
これにより、図５に示される第１の実施例と同様に、例えばラックや架等の被保持体２４と２つ隣りのラックや架等の被保持体２４とを配線２０を介して接続する場合に、例えば５個の配線保持器１で配線２０を保持して、これらの配線保持器１を被保持体２４、２５、２６の外側上面に接着手段を利用して設置することにより、床に這わせる等して床に直置きしたり、ビニルテープ等で架やラックに仮固定したりする必要性がなくなる。また、ラックや架等の被保持体２６と測定器２７とを配線２０を介して接続する場合に、例えば３個の配線保持器１で配線２０を保持して、これらの配線保持器１を被保持体２６の外側側面に接着手段を介して設置することにより、架やラック内の専用コードホルダーに通過させたり、収束具で束にして固定したりする必要性がなくなる。
【産業上の利用可能性】
【００３６】
本発明は、光コード等の通信線、電力線、その他の配線の途中箇所を一時的又は常時に保持するのに利用可能である。
【符号の説明】
【００３７】
１  配線保持器
２  ホルダー本体
２ａ  面
２ｂ  面
２ｃ  面
２ｄ  面
２ｅ  面
２ｆ  面
３  配線通過部位
４  開口部
５  陥没面
６  窪み部
８  配線着脱部位
９  開口部
１１  台座
１２  挟持用部材
１３  配線通過部位
１４  配線着脱部位
１５  羽根部
２０  配線
２１  コネクタ
２４  被保持体
２５  被保持体
２６  被保持体
【図１】
2010169838.tif 000003
【図２】
2010169838.tif 000004
【図３】
2010169838.tif 000005
【図４】
2010169838.tif 000006
【図５】
2010169838.tif 000007
【図６】
2010169838.tif 000008
【図７】
2010169838.tif 000009